【手続補正書】
【提出日】平成23年12月8日(2011.12.8)
【手続補正１】
【補正対象書類名】特許請求の範囲
【補正対象項目名】全文
【補正方法】変更
【補正の内容】
【特許請求の範囲】
【請求項１】
電磁波発生源と、前記電磁波発生源から電力を受信する受信器の間に位置して電力を中継する中継器システムであって、
前記中継器システムは、
前記電磁波発生源に隣接して位置する第１中継器と、
前記第１中継器から一定の間隔離れた第２中継器と、
を備え、
前記第１中継器は、第１誘導コイル及び前記第１誘導コイルに接続されて共振回路を構成する第１コンデンサーを含み、
前記第２中継器は、第２誘導コイル及び前記第２誘導コイルに接続されて共振回路を構成する第２コンデンサーを含むことを特徴とする中継器システム。
【請求項２】
前記中継器システムは、
少なくとも１つの第３中継器をさらに備え、
前記少なくとも１つの第３中継器は、第３誘導コイル及び前記第３誘導コイルに接続されて共振回路を構成する第３コンデンサーを含むことを特徴とする請求項１に記載の中継器システム。
【請求項３】
前記第３中継器は、前記第１中継器、前記第２中継器、及び前記受信器のうち少なくともいずれか１つに付着されることを特徴とする請求項２に記載の中継器システム。
【請求項４】
前記電力は無線で送信されることを特徴とする請求項１〜３に記載の中継器システム。
【請求項５】
電磁波を発生させる電磁波発生源と、
前記電磁波発生源から電力を受信する受信器と、
前記電磁波発生源と前記受信器との間に位置し、電力を増幅する中継器システムと、を備え、
前記中継器システムは、
前記電磁波発生源に隣接して位置する第１中継器と、
前記第１中継器から一定の間隔離れた第２中継器とを備え、
前記第１中継器は、第１誘導コイル及び前記第１誘導コイルに接続されて共振回路を構成する第１コンデンサーを含み、
前記第２中継器は、第２誘導コイル及び前記第２誘導コイルに接続されて共振回路を構成する第２コンデンサーを含むことを特徴とする無線電力送信システム。
【請求項６】
前記受信器は、誘導コイル及びコンデンサーを含み、
前記受信器は、前記受信器の誘導コイル及びコンデンサーの共振によって前記電磁波発生源で生成された電力を前記中継器システムを介して受信することを特徴とする請求項５に記載の無線電力送信システム。
【請求項７】
前記受信器は、前記中継器システムから受信された電力をバッテリに供給することを特徴とする請求項５に記載の無線電力送信システム。
【請求項８】
少なくとも１つの中継ＬＣ回路を用いて無線で電力を中継する方法であって、
前記少なくとも１つの中継ＬＣ回路が送信ＬＣ回路から電力を無線で受信するステップと、
前記少なくとも１つの中継ＬＣ回路が前記送信ＬＣ回路から受信された電力を受信ＬＣ回路に中継するステップと、を含み、
前記少なくとも１つの中継ＬＣ回路、前記送信ＬＣ回路、及び前記受信ＬＣ回路それぞれは、誘導コイル及び前記誘導コイルに接続されて共振回路を構成するコンデンサーを含み、
前記無線で電力を中継する方法は、下記の条件１ないし条件３のうち少なくとも１つを満たす、
条件１）前記少なくとも１つの中継ＬＣ回路を介して前記受信ＬＣ回路に受信された電力は０．２８ワットよりも大きいか同一であり、
条件２）前記少なくとも１つの中継ＬＣ回路を介して前記受信ＬＣ回路に受信された電力の電流は４．７ｍＡよりも大きいか同一であり、
条件３）前記送信ＬＣ回路と前記受信ＬＣ回路との距離は５ｃｍよりも大きいか同一である、
ことを特徴とする無線で電力を中継する方法。
【請求項９】
前記少なくとも１つの中継ＬＣ回路は、前記送信ＬＣ回路または前記受信ＬＣ回路に付着されることを特徴とする請求項８に記載の無線で電力を中継する方法。
【請求項１０】
電磁波発生源が電力を発生させるステップと、
第１中継器が前記電磁波発生源から電力を受信して第２中継器に無線で送信するステップと、
前記第２中継器が前記第１中継器から受信した電力を受信器に無線で送信するステップと、
を含むことを特徴とする無線電力送信方法。
【請求項１１】
電磁波の磁場を増幅する第１増幅中継器と、
前記第１増幅中継器から一定の間隔離れて位置し、前記電磁波を受信器に中継する第２増幅中継器と、
前記第２増幅中継器に付着され、前記第２増幅中継器を介して前記電磁波を受信する受信器と、
を備え、
前記第１増幅中継器、前記第２増幅中継器、及び前記受信器それぞれは、誘導コイル及び前記誘導コイルに接続されて共振回路を構成するコンデンサーを備えることを特徴とする無線電力送信システム。
【請求項１２】
前記電磁波発生源によって発生される電磁波は、テレビまたはモニタ内部の電磁波を用いて発生されることを特徴とする請求項１１に記載の無線電力送信システム。
【請求項１３】
前記電磁波発生源は、交流電力を発生させる誘導コイルを含むことを特徴とする請求項１１に記載の無線電力送信システム。
【請求項１４】
前記コンデンサーは、インピーダンスマッチングを行う可変コンデンサーであることを特徴とする請求項１１に記載の無線電力送信システム。
【請求項１５】
前記第２増幅中継器は、前記電磁波発生源から５ｃｍないし１２ｃｍの距離に位置することを特徴とする請求項１１に記載の無線電力送信システム。
【請求項１６】
前記受信器は、前記電磁波発生源から５ｃｍ以上離れた距離で前記第２増幅中継器を介して１．６ｍＷ以上の充電電力が提供されるように設計されたことを特徴とする請求項１１に記載の無線電力送信システム。
【請求項１７】
前記受信器は、前記電磁波発生源から５ｃｍ以上離れた距離で前記第２増幅中継器を介して１．２ｍＡ以上の充電電流が提供されるように設計されたことを特徴とする請求項１１に記載の無線電力送信システム。
【請求項１８】
前記受信器は、前記受信された電磁波を用いて一定の直流電圧を負荷に提供することを特徴とする請求項１１に記載の無線電力送信システム。
【請求項１９】
前記第２増幅中継器の誘導コイル及び前記受信器の誘導コイルは、共通コア上に形成されることを特徴とする請求項１１に記載の無線電力送信システム。
【請求項２０】
第１誘導コイル及び前記第１誘導コイルに接続されて共振回路を構成する第１コンデンサーを含む第１回路と、
第２誘導コイル及び前記第２誘導コイルに接続されて共振回路を構成する第２コンデンサーを含む第２回路と、
第３誘導コイル及び前記第３誘導コイルに接続されて共振回路を構成する第３コンデンサーを含む第３回路と、を含み、
前記第１回路は電磁波を前記第２回路に無線で送信し、
前記第２回路は前記第１回路から一定の間隔離れて位置し、前記第１回路から前記電磁波を無線で受信し、受信された電磁波の磁場を増幅し、
前記第３回路は前記第２回路から一定の間隔離れて位置し、前記磁場が増幅された電磁波を無線で受信することを特徴とする電磁波増幅及び無線電力変換システム。
【請求項２１】
前記第３回路は、前記第１回路から１０ｃｍ以上離れた距離で前記第２回路を介して２．２ｍＷ以上の充電電力が提供されるように設計されたことを特徴とする請求項２０に記載の電磁波増幅及び無線電力変換システム。
【請求項２２】
前記第３回路は、前記第１回路から１０ｃｍ以上離れた距離で前記第２回路を介して１．７ｍＡ以上の充電電流が提供されるように設計されたことを特徴とする請求項２０に記載の電磁波増幅及び無線電力変換システム。
【請求項２３】
前記第３回路に付着され、前記第２回路から放射される電磁波の磁場を増幅する第４回路をさらに備え、
前記第４回路は、第４誘導コイル及び前記第４誘導コイルに接続されて共振回路を構成する第４コンデンサーを含むことを特徴とする請求項２０に記載の電磁波増幅及び無線電力変換システム。
【請求項２４】
前記第３回路は、前記第１回路から１４ｃｍ以上離れた距離で前記第４回路を介して１．３ｍＷ以上の充電電力が提供されるように設計されたことを特徴とする請求項２３に記載の電磁波増幅及び無線電力変換システム。
【請求項２５】
前記第３回路は、前記電磁波発生源から１４ｃｍ以上離れた距離で前記第４回路を介して１ｍＡ以上の充電電流が提供されるように設計されたことを特徴とする請求項２３に記載の電磁波増幅及び無線電力変換システム。
【請求項２６】
電磁波発生源と、前記電磁波発生源から電力を受信する受信器の間に位置して電力を中継する中継器システムであって、
前記中継器システムは、
前記電磁波発生源に隣接して位置し、前記電磁波発生源で発生される電磁波の磁場を増幅する第１中継器と、
第１中継器から一定の間隔離れて位置し、前記第１中継器で放射される電磁波の磁場を増幅する第２中継器と、
を備え、
前記第１中継器は、第１誘導コイル及び前記第１誘導コイルに接続されて共振回路を構成する第１コンデンサーを含み、
前記第２中継器は、第２誘導コイル及び前記第２誘導コイルに接続されて共振回路を構成する第２コンデンサーを含むことを特徴とする中継器システム。
【請求項２７】
前記中継器システムは、
少なくとも１つの第３中継器をさらに備え、
前記少なくとも１つの第３中継器は、第３誘導コイル及び前記第３誘導コイルに接続されて共振回路を構成する第３コンデンサーを含むことを特徴とする請求項２６に記載の中継器システム。
【請求項２８】
バッテリの充電方法であって、
電磁波を発生させる電磁波発生源に隣接した位置で前記電磁波の磁場を増幅するステップと、
前記電磁波発生源から一定の間隔離れた位置で前記電磁波の磁場を再増幅するステップと、
前記磁場が再増幅された電磁波によって誘導される起電力を整流して直流電圧を生成するステップと、
前記直流電圧を前記バッテリに提供するステップと、
を含み、
前記磁場の増幅は、誘導コイル及び前記誘導コイルに接続されて共振回路を構成するコンデンサーによって行われることを特徴とするバッテリの充電方法。
【請求項２９】
負荷の電力供給方法であって、
電磁波を発生させる電磁波発生源に隣接した位置で前記電磁波の磁場を増幅するステップと、
前記電磁波発生源から一定の間隔離れた位置で前記電磁波の磁場を再増幅するステップと、
前記磁場が再増幅された電磁波によって誘導される起電力を整流して直流電圧を生成するステップと、
前記直流電圧を前記負荷に提供するステップと、
を含み、
前記磁場の増幅は、誘導コイル及び前記誘導コイルに接続されて共振回路を構成するコンデンサーによって行われることを特徴とする負荷の電力供給方法。
【手続補正２】
【補正対象書類名】明細書
【補正対象項目名】発明の名称
【補正方法】変更
【補正の内容】
【発明の名称】中継器システム、無線電力送信システム、無線で電力を中継する方法、無線電力送信方法、電磁波増幅及び無線電力変換システム、中継器システム、バッテリの充電方法、及び、負荷の電力供給方法